(57)【要約】  【課題】適切に配線空間の開閉を行うことができ、部品点数の削減等に対応できる配線ダクトを備えた天板付家具を提供する。  【解決手段】天板付家具Ｔにおいて、配線ダクト３を、配線コードを受け入れる配線空間３ｓを有するダクト本体３１と、その配線空間３ｓを天板１の使用端１１ａ側へ開閉し得る扉部３４とを備えるものとし、扉部３を、その上部を支点として配線空間３ｓを開閉し得るように構成した。【選択図】図５
2005040443.tif 000002
【特許請求の範囲】
【請求項１】
天板と、該天板を支持する支持構造体と、天板の下方空間に配線コードを収納し得る配線ダクトとを具備してなるものであって、
前記配線ダクトが、配線コードを受け入れる配線空間を有するダクト本体と、該配線空間を開閉し得る扉部とを備え、該扉部を、その上部を支点として配線空間を開閉可能に構成していることを特徴とする天板付家具。
【請求項２】
前記扉部の下端部を開放端部としている請求項１記載の天板付家具。
【請求項３】
前記扉部を、天板の使用端側又は反使用端側のいずれにも開閉し得るように構成している請求項１又は２記載の天板付家具。
【請求項４】
前記扉部を、ダクト本体に対して回動可能に設けている請求項１、２又は３記載の天板付家具。
【請求項５】
前記天板が、前後に対をなすように反使用端同士を対向配置させた複数の天板要素を具備してなり、これら対をなす各天板要素の反使用端側に前記配線コードを配置している請求項１、２、３又は４記載の天板付家具。
【請求項６】
前記天板の奥行き方向中央部に、幅方向に延びる隙間を形成し、この隙間を前記配線空間に連通させている請求項１、２、３、４又は５記載の天板付家具。
【請求項７】
前記扉部に、天板の使用端側へ突出させた把手部を形成している請求項１、２、３、４、５又は６記載の天板付家具。
【請求項８】
前記ダクト本体の下端部に幕板を取り付けてなり、該幕板として前記扉部と同一の部材を適用している請求項１、２、３、４、５、６又は７記載の天板付家具。
【発明の詳細な説明】
【技術分野】
【０００１】
本発明は、配線ダクトを備えたテーブルやデスク等の天板付家具に関するものである。
【背景技術】
【０００２】
従来、テーブルやデスクの天板上で行うコンピュータの入力作業が一般化してきているのに伴って、機器類の配線コードを収納しておく配線ダクトを天板の下方空間に配置した天板付家具が種々考えられている。このようなものにあっては、配線ダクトの配線空間内の配線コードを外部から隠蔽しておき、必要に応じて取り出すことができるように、配線ダクトに扉を設けたものがある（例えば、特許文献１参照）。この扉は、下端部側が配線ダクトの本体部分に回動可能に支持されており、上端部側を本体部分の上端部に取り付けてあるマグネットに吸着させることによって、配線空間を開閉し得るように構成されている。
【特許文献１】実公平２−２５２６３号公報（図４等）
【発明の開示】
【発明が解決しようとする課題】
【０００３】
ところが、このように扉の下端部を支持させて上部を開閉する構造では、扉を閉じた状態に保持するために上述のマグネットのような保持部材又は保持構造が必須となり、部品点数が増加するという問題がある。また、天板の下方空間において、執務者の脚が閉じた状態に固定された扉に当たると、扉に損傷が生じたり、執務者が脚を怪我するなどの虞があり得ることになる。
【０００４】
そこで本発明は、以上のような問題を生じることなく、適切に配線空間の開閉を行うことができる配線ダクトを備えた天板付家具を提供しようとするものである。
【課題を解決するための手段】
【０００５】
すなわち、本発明の天板付家具は、天板と、この天板を支持する支持構造体と、天板の下方空間に配線コードを収納し得る配線ダクトとを具備してなるものであって、配線ダクトが、配線コードを受け入れる配線空間を有するダクト本体と、その配線空間を開閉し得る扉部とを備え、扉部を、その上部を支点として配線空間を開閉可能に構成していることを特徴としている。
【０００６】
このような構成のものであれば、配線空間を扉部によって隠蔽しておくことができるのは勿論のこと、その扉部の上部を支持させることによって、下部側には格別の保持部材又は保持構造を設けなくても配線空間を隠蔽した状態に維持しておくことができ、部品点数の低減や扉部の下部に保持部材等を設けるか否かといった構造の自由度の向上を図ることができる。
【０００７】
このような構成において、扉部の下端部を開放端部とすることで、仮に執務者の脚が扉部に当たったとしても扉部の下端部は固定されていないことから、扉部が損傷したり執務者が脚に怪我をするといった虞をなくすことができる。このような効果は、扉部を、天板の使用端側又は反使用端側のいずれにも開閉し得るように構成すれば、より一層向上することができる。
【０００８】
扉部をダクト本体に簡易な構造で取り付けても上述したような作用が得られるようにするためには、扉部を、ダクト本体に対して回動可能に設けることが望ましい。
【０００９】
また、天板が、前後に対をなすように反使用端同士を対向配置させた複数の天板要素を具備する天板付家具の場合、このような配線ダクトを設けるのに適した態様としては、これら対をなす各天板要素の反使用端側に配線コードを配置したものが挙げられる。
【００１０】
また、天板上と配線ダクト内との間の配線コードの通過を容易なものとするためには、天板の奥行き方向中央部に、幅方向に延びる隙間を形成し、この隙間を配線空間に連通させることが望ましい。
【００１１】
さらに、扉部の開閉作業の簡易化を図るには、扉部に、天板の使用端側へ突出させた把手部を形成するとよい。
【００１２】
また、部品の種類数を増加させることなく天板下空間の隠蔽効果をより向上させるには、ダクト本体の下端部に幕板を取り付け、この幕板として前記扉部と同一の部材を適用することが好ましい。
【発明の効果】
【００１３】
以上のように、本発明は、天板下空間に配線ダクトを配置したものであって、この配線ダクトの内部の配線空間を選択的に隠蔽するために配線ダクトに扉部を設けるに当たり、扉部をその上部を支点として開閉可能に設けたものである。そのため、まず基本的な機能として、配線空間を扉部によって隠蔽しておくことが可能である。そのうえ、扉部は、その上部が支持されて開閉可能に構成していることによって、扉部の下部側には格別の保持部材又は保持構造が不要となり、従来のようにマグネット等の保持部材等を設けなくても配線空間を隠蔽した状態を維持することができるため、扉部の下部に保持部材等を設けるか否かといった構造の自由度が向上し、部品点数の削減を図ることもできる。さらに、扉部の下端部を開放させておけば、天板付家具を使用する執務者の脚が扉部に当たっても、扉部はそれに応じて外力を吸収する方向へ移動するので、扉部の損傷や執務者の怪我を防止することが可能である。
【発明を実施するための最良の形態】
【００１４】
以下、本発明の一実施形態を、図面を参照して説明する。
【００１５】
図１及び図２に示す天板付家具は、自席が限定されない所謂フリーアドレス型のオフィスにおいて用いられる大型のテーブルＴである。このテーブルＴは、天板１と、この天板１を支持する支持構造体２と、天板１の下方空間に配置される配線ダクト３とを主体としてなるものである。
【００１６】
本実施形態において天板１は、複数の天板要素１１から構成してある。具体的には、平面視矩形状をなす天板要素１１を４つ用い、そのうち２枚ずつの天板要素１１、１１を一組としてそれらの反使用端１１ｂ同士を対向させて配置し、その天板要素１１、１１の組をそれらの内側端１１ｃ同士を隣接させて配置することで、天板１全体の奥行き方向中央部に各天板要素１１の反使用端を集合させ、且つ奥行き方向両端部に各天板要素１１の使用端１１ａを位置付けている。なお、前後に対をなす天板要素１１、１１の反使用端１１ｂ、１１ｂ同士の間には所定距離の隙間１ｓが形成してある。なお、この隙間１ｓは、配線ダクト３の配線空間３ｓに連通させるようにしている。
【００１７】
また、支持構造体２は、各天板要素１１の使用端１１ａ側における外側端１１ｄ近傍に配置される合計４本の端部脚２１と、天板１の奥行き方向に対をなす端部脚２１、２１同士を連結する側フレーム２２、２２と、各天板要素１１の反使用端１１ｂ側における内側端１１ｃ側に配置される１つの中間脚２３と、この中間脚２３に支持されて各天板要素１１の内側端１１ｃ側を支持する前後一対のアーム２４、２４と、側フレーム２２、２２とアーム２４、２４との間を天板１の幅方向に沿って連結する各４本の第１横フレーム２５、２５、２５、２５及び第２横フレーム２６、２６、２６、２６とを主体として構成される。ここで、第１横フレーム２５、２５、２５、２５は、各天板要素１１の反使用端１１ｂ側を支持するものであり、第２横フレーム２６、２６、２６、２６は、各天板要素１１の奥行き方向中央部を支持するものである。また、中間脚２３の上端部には、配線ダクト３に形成される配線空間３ｓと連通する開口部２３ｓを形成している。なお、左右の側フレーム２２、２２には、側方からの視線から天板１の下方空間を遮る側幕板２７、２７を取り付けている。
【００１８】
配線ダクト３は、図３及び図４に示すように、天板１の奥行き方向中央部、すなわち前後に対をなす天板要素１１、１１の反使用端１１ｂ、１１ｂの下方に配置されるものであり、配線空間３ｓを有するダクト本体３１と、配線空間３ｓを開閉する扉部３４とを備えている。特に本実施形態では奥行き方向に対をなす天板要素１１、１１ごとに１つずつ配線ダクト３を設けた構成としており、さらに天板１が奥行き方向両端部に使用端１１ａを有する構成であるため、ダクト本体３１を左右に対をなして設け、各ダクト本体３１に２つずつの扉部３４、３４を設けている。
【００１９】
具体的に説明すると、各ダクト本体３１はさらに、配線コードを受けるための配線トレー３２と、この配線トレー３２の左右両端部を支持し前後一対の第１横フレーム２５、２５間に支持される左右一対の支持体３３とから構成される。各配線トレー３２は、天板要素１１の幅寸法よりも短い底板部３２１と、この底板部３２１の前後両端部において起立する起立板部３２２、３２２とを有している。各起立板部３２２の上端部は安全のため丸めてある。また、底板部３２１の奥行き方向中央部は凸形に屈曲させて隆起部３２１ａを形成し、前後の天板要素１１、１１に対応する一対の配線案内溝３２１ｂ、３２１ｂを隆起部３２１ａに区画されるように形成している。本実施形態においてこれら底板３２１及び起立板部３２２、３２２は、一枚の金属板を折り曲げ加工により形成したものである。一方、各支持体３３は、側面視エ字形をなし配線トレー３２の両側端部の外方に起立する本体板部３３１と、この本体板部３３１の上端部に連続して前後一対の第１横フレーム２５、２５の対向面２５ａ、２５ａに沿って延びる一対の取付板部３３２、３３２と、本体板部３３１の下端部に連続して配線トレー３２の底板部３２１を下方から受ける一対の支持板部３３３、３３３とから構成される。本実施形態において各支持体３３は、一枚の金属板を折り曲げ加工により形成している。そして、取付板部３３２、３３２を第１横フレーム２５、２５間に位置付けてそれらの対向面２５ａ、２５ａにネジ３３２ａを利用して固定する一方、配線トレー３２を支持板部３３３、３３３上に載置してネジ３３３ａを利用して固定している。
【００２０】
扉部３４は、それぞれ一枚の金属板からなる扉部本体３４１と、扉部本体３４１をダクト本体３１に取り付けるための支持軸３４２とを備えている。まず扉部本体３４１は、例えば多数の孔を開けたパンチングメタル等からなるものであり、上端部３４１ａに支持軸３４２を取り付けている。各支持軸３４２の端部は、本体部３４１の側端部から突出させてある。さらに扉部本体３４１の外面側には把手部３４３を取り付けて、扉部３４の開閉操作を好適に行うことができるようにしている。本実施形態ではこの把手部３４３を、各扉部本体３４１の幅方向中央部における下半部分に取り付けている。このような扉部３４をダクト本体３１支持させるために、ダクト本体３１の各取付板部３２２には、軸受部材３４４を取り付けている。軸受部材３４４は、支持軸３４２を弾性変形により着脱可能に取り付けて回動可能に保持するための保持爪部３４４ａと、取付板部３２２に取り付けるための取付部３４４ｂを有しており、この取付部３４４ｂを取り付けるための角穴３３２ｂを各取付板部３３２に形成している。すなわち、前記角穴３３２ｂに取付部３４４ｂを弾性変形により挿入して固定した状態で、保持爪部３４４ａに支持軸３４２を支持させることで、各扉部３４は上端部３４１ａにおいてダクト本体３１に対して回動可能に支持されることになり、扉部３４の下端部は何処にも支持されることのない開放端部３４１ｂとなる。したがって、図５に示すように各扉部３４は、把手部３４３を摘んで天板要素１１の使用端１１ａ側へ引き上げれば支持軸３４２を中心にして手前側へ回動して跳ね上がり、或いは逆に扉部本体３４１を配線空間３ｓ内へ押し込めば支持軸３４２を中心にして回動して傾斜するので、これらいずれかの操作によって、配線空間３ｓ内への配線コード（図示省略）の出し入れ又はメンテナンスを行うことができることになる。
【００２１】
また、ダクト本体３１の奥行き方向中央部には、このテーブルＴの一方の使用端１１ａ側から他方の使用端１１ａ側への視線を遮るために、幕板３５を設けている。具体的には、幕板３５には上述した扉部３４と同一部材を用いている。すなわち幕板３５は、扉部本体３４１と同一構成の幕板本体３５１と、支持軸３４２と同一構成の支持軸３５２とから構成される。一方、配線トレー３２の隆起部３２１ａの両側端部に形成した角穴３２１ｃ、３２１ｃに下方から軸受部材３４４を取り付けて、この軸受部材３４４に支持軸３５２を保持させることによって、幕板３５をダクト本体３１に取り付けている。なお、上述した扉部３４も閉じた状態であれば、テーブルＴの一方の使用端１１ａ側から他方の使用端１１ａ側への視線を遮る幕板として機能するため、扉部３４に操作力を加えない通常の状態では扉部３４と幕板３５とが全体としてテーブルＴの幕板としての機能を果たすことになる。
【００２２】
以上のような構成からなる本実施形態に係るテーブルＴによれば、まず配線ダクト３１には、ダクト本体３１の配線空間３ｓを開閉するための扉部３４を設けているため、配線空間３ｓ内に収納した配線コードを扉部３４の存在によって隠蔽しておくことができ、必要に応じて扉部３４を開閉することで配線コードの出し入れやメンテナンスが可能である。またそれだけでなく、扉部３４は上端部を支点として開閉するものであるため、通常は重力により扉部３４がダクト本体３１からぶら下がった状態となっているため配線空間３ｓを閉じた状態としておき、必要時にのみ扉部３４を開閉することができるが、このような構成によって扉部本体３４１の下端部を固定せずに開放端部３４１ｂとすることが可能であるので、わざわざ扉部本体３４１の下端部を固定するための部材が不要となり、部品点数の削減や低コスト化を図ることができる。そしてこのように、扉部本体３４１の下端部を開放端部３４１ｂとすることで、執務者の脚が扉部３４に当たっても、その力が扉部３４を配線空間３ｓ内に回動させる力に変換される結果、扉部３４が配線空間３ｓ内へ逃げるため、扉部３４自体の損傷や執務者の脚の怪我等を好適に防止することができる。
【００２３】
また本実施形態のテーブルＴは、複数の天板要素１１から天板１を構成しており、奥行き方向両端部に使用端１１ａを有するものであって、これら天板要素１１の各反使用端１１ｂ側の下方空間に配線ダクト３を配置して、反使用端１１ｂ、１１ｂ間の隙間１ｓを配線空間３ｓに連通させているので、いずれの使用端１１ａ側からでも扉部３４を操作して配線空間３ｓにアクセスでき、また配線コードの落とし込みや立ち上げも容易となるため、配線作業に極めて便利である。また、扉部３４には把手部３４３を設けているので、扉部３４の操作性も良好である。さらに、本実施形態では配線ダクト３に幕板３５を設けているので、一方の使用端１１ａ側から他方の使用端１１ａ側への視線を遮蔽することができるうえに、幕板３５として扉部３４と同一の部材を用い、ほぼ同一の取付構成としているため、部品及び構造の共通化を図り、より一層の低コスト化を図ることができる。
【００２４】
なお、本発明は上述した実施形態に限られるものではない。例えば、上記実施形態の構成とは逆にダクト本体に支持軸を設け、その支持軸に扉部の上部を支持させる構成としたり、軸受部材を用いずに扉部をダクト本体に直接的に支持させるような構成も採用することができる。また、天板要素の幅寸法が大きい場合には、１つの天板要素につき複数の扉部を配置してもよい。さらに、本発明は、上記実施形態のテーブルのような奥行き方向両端部に使用端を有する天板を備えたものに限らず、幅方向に並列させた２枚の天板要素からなる天板や、１枚のみの天板要素からなる天板を備えた家具にも適用することができるものである。また、配線ダクトに幕板を取り付けるか否かも任意に選択することができる。その他、各部の具体的構成についても上記実施形態に限られるものではなく、本発明の趣旨を逸脱しない範囲で種々変形が可能である。
【図面の簡単な説明】
【００２５】
【図１】本発明の一実施形態を示す正面図。
【図２】同底面図。
【図３】同実施形態の要部を示す斜視図。
【図４】同分解斜視図。
【図５】同要部における作用説明図。
【符号の説明】
【００２６】
Ｔ…天板付家具（テーブル）
１…天板
１ｓ…隙間
２…支持構造体
３…配線ダクト
３ｓ…配線空間
１１…天板要素
１１ｂ…反使用端
３１…ダクト本体
３４…扉部
３５…幕板
【図１】
2005040443.tif 000003
【図２】
2005040443.tif 000004
【図３】
2005040443.tif 000005
【図４】
2005040443.tif 000006
【図５】
2005040443.tif 000007